(57)【要約】【課題】レンジフードのフィルタを洗浄するときに、フィルタの縦横に配列する小さな開口部に入り込んだ油汚れは、タワシを用いて擦り洗おうとしても、すべての開口部から掻き出して除去することは困難である。【解決手段】フィルタ１が、細長い開口部３を並列させた平板２から成り、開口部３が互いに直行するようにフィルタ１を２枚重ね合わせて組みフィルタ４を構成することにより、洗浄するときは組みフィルタ４を展開して開口部３の長さ方向にタワシを動かすことで開口部３に入り込んだ油汚れを容易に除去することができる。【選択図】図１
2012088014.tif 000002
【特許請求の範囲】
【請求項１】
複数の細長い開口部を並列して設けた平板のフィルタ２枚を、開口部が互いに直行するように２枚重ねて構成することを特徴とするレンジフード用フィルタ。
【請求項２】
組みフィルタを構成する２枚のフィルタがそれぞれ一つの辺を回転軸として接続していて、折り畳み可能であることを特徴とする請求項１記載のレンジフード用フィルタ。
【請求項３】
折り畳み可能な組みフィルタを構成する２枚のフィルタにおいて、一方のフィルタの折り畳み基点軸の形状が円柱であり、他方のフィルタでは円柱軸を受ける形状であることを特徴とする請求項１または２記載のレンジフード用フィルタ。
【請求項４】
フィルタの開口部が、３本以上の複数本の棒を一定間隔に並列して固定することで成るものであり、両端の２本の棒の一端がそれぞれフック状に反り返った形状で、２本の棒のフック部分は互いに対角側に配置されることを特徴とする請求項１記載のレンジフード用フィルタ。
【請求項５】
表面が撥油性であることを特徴とする請求項１乃至４のいずれかに記載のレンジフード用フィルタ。
【請求項６】
吸気口とフィルタと送風手段を備え、吸気口から送風手段の方へ気流が向かい、その気流に含まれる油のミストや塵を捕集するレンジフード用フィルタを備えたレンジフードであって、前記レンジフード用フィルタが請求項１乃至５のいずれかに記載のレンジフード用フィルタであるレンジフード。
【発明の詳細な説明】
【技術分野】
【０００１】
本発明は、空気中に浮遊する微小粒子を除去するレンジフード用フィルタに関する。
【背景技術】
【０００２】
従来、この種のレンジフードには、台所での加熱調理によって発生する油煙や塵を捕集する目的としてフィルタが取り付けられているものが知られ、そのフィルタの多くは平板形状である。フィルタの表面は、吸い込む空気が通過するように、開口部を持たせているものである。（例えば、特許文献１参照）。
【０００３】
以下、そのレンジフード用のフィルタについて図１５を参照しながら説明する。
【０００４】
図１５は特許文献１に示されている従来のレンジフード用のフィルタ１０１の図である。油等の汚れを含む空気は、フィルタ１０１に衝突し、空気中の油はフィルタ１０１に付着し、空気及びフィルタ１０１に付着しなかった油はフィルタ１０１の開口部１０２を通過して排気される。
【先行技術文献】
【特許文献】
【０００５】
【特許文献１】実開平６−７３６３２号公報
【発明の概要】
【発明が解決しようとする課題】
【０００６】
このようなレンジフード用フィルタは、調理時に発生する油の粒子や塵を捕集するものであるが、フィルタの表面上にはやがて油汚れが積み重なってゆく。そして、フィルタの開口部は次第に油汚れが覆いかぶさって塞がり、目詰まりとなる。フィルタに付着した油汚れは布などを用いて簡易的に拭取ることが可能だが、フィルタの開口部に入り込んだ油汚れや、空気に触れるなどして劣化、増粘した油汚れを完全に拭い落とすことは困難である。除去することが困難な油汚れに対しては、洗剤等を含む水又は熱湯を接触させることで熱や溶解力による作用を与えたり、タワシで擦るなどの物理的な外力で引き剥がしたりするという手段が有効である。
【０００７】
タワシでフィルタの表面を擦り洗うことに関して、一般的な形状の開口部を持つフィルタの場合、開口部の内側に入り込んだ油汚れは、容易には掻き出されない。むしろ、フィルタの表面上の油汚れが、タワシによって誘導されて開口部に入り、蓄積していく傾向が高い。したがって、フィルタの開口部に溜まる油汚れに対する除去性を改善することが従来の課題である。
【０００８】
本発明は、このような従来の課題を解決するものであり、フィルタに付着した油汚れを効果的に洗浄除去可能とすることを目的としている。
【課題を解決するための手段】
【０００９】
本発明のレンジフードは上記目的を達成するために、複数の細長い開口部を並列に設けた平板をフィルタとして、開口部が互いに直行するようにフィルタを２枚重ねて組みフィルタを構成したことを特徴とするものである。
【００１０】
また、２枚の平板が、接合部において折り畳み可能としたことを特徴とするものである。
【００１１】
また、フィルタが撥油性であることを特徴とするものである。
【発明の効果】
【００１２】
本発明の形状を持つフィルタを備えたレンジフードによって、捕集した油汚れを効果的に洗浄除去できるという効果が得られる。
【図面の簡単な説明】
【００１３】
【図１】本発明の実施の形態１におけるフィルタの図
【図２】本発明の実施の形態１におけるフィルタを２枚並べた図
【図３】本発明の実施の形態１における組みフィルタの図
【図４】本発明の実施の形態２におけるフィルタの図
【図５】本発明の実施の形態３における組みフィルタの図
【図６】本発明の実施の形態４における組みフィルタの斜視図
【図７】本発明の実施の形態４におけるフィルタの上面図
【図８】本発明の実施の形態４におけるフィルタの側面図
【図９】本発明の実施の形態４におけるフィルタの上面図
【図１０】本発明の実施の形態４におけるフィルタの側面図
【図１１】本発明の実施の形態５におけるフィルタの斜視図
【図１２】本発明の実施の形態５における組みフィルタの斜視図
【図１３】本発明の実施の形態６におけるフィルタの図
【図１４】本発明の実施の形態７におけるレンジフードの図
【図１５】従来のレンジフード用フィルタの図
【発明を実施するための形態】
【００１４】
一般的なレンジフードは、吸気口とフィルタと送風手段を備えたもので、調理時に発生する油のミストが、送風装置の吸引力によって吸気口から送風手段の方向へ流れるときに、吸気口に設けられたフィルタに付着することで、油を取り除いて排気するものである。
【００１５】
レンジフードの使用時間に伴ってフィルタには油汚れが蓄積していくため、フィルタは定期的に掃除する必要がある。一般的なフィルタは、パンチングメタルなど、薄い平板にパターン配列した穴を開口部として設けることで、空気が通り抜けるような形状を有している。フィルタに付着した油汚れを掃除するときは、洗剤などを用いて水又は湯で洗い流すものであり、粘度の高い油汚れに対しては、タワシなどを用いてフィルタを擦ることによって剥がし落とす。しかし、フィルタがパンチングメタルのような、円形や方形の穴を有したものは、その穴の直径は１ｍｍから数ｍｍ程度の小さな穴であるため、穴に入り込んだ油汚れは取り除くことが困難である。また、タワシでフィルタを擦る間に、フィルタ表面から剥がれた油汚れが、タワシの動きによってパンチングメタルの穴に入り込み、ひとたび穴に入った油汚れは穴の内壁に阻まれて外部に掻き出されにくいため、完全に取り除くことが難しい。
【００１６】
本発明の請求項１に記載のレンジフードのフィルタは、複数の細長い開口部を並列して設けた平板をフィルタとして、開口部が互いに直行するようにフィルタを２枚重ねて組みフィルタを構成したことを特徴とするものである。
【００１７】
細長い開口部とは、幅が１ｍｍから数ｍｍ程度で、一方向に延びた細長い穴である。この細長い開口部が一定な間隔で平行に並んだ平板をフィルタとして、細長い開口部が直行するようにしてフィルタを２枚重ね合わせることで一つのフィルタを成すような組みフィルタとしている。この重ね合わせによって、組みフィルタには一辺が１ｍｍから数ｍｍの正方形の穴が縦横に並び、パンチングメタルのフィルタと同様なパターンと空隙率を持たせることができる。
【００１８】
組みフィルタに油汚れが蓄積し、組みフィルタの掃除をする必要が生じた場合には、組みフィルタを２枚のフィルタに分けて掃除することが可能である。タワシなどで擦り洗いする際には、細長い開口部の長さ方向に沿ってタワシを動かせば、その方向にはタワシの行く手を遮る障壁がないため、仮に油汚れが開口部の内側に入り込んだとしても、容易に開口部の外部へ導き出される。
【００１９】
細長い開口部は、平板にスリットを配した形態が考えられるが、円柱状の棒を一定間隔で並列させて平面を形成することによって得ることもできる。この場合は、並列するすべての棒と交わるようにして接合する支持棒を設けることによって、並列する棒が一定間隔で固定された平面を得る。支持棒は、並列する棒の中央付近に直行するように１本配置したものでよいが、並列する棒の両端側に１本ずつ配置したものでもよく、面の剛性がより高くなる。
【００２０】
組みフィルタを構成する２枚のフィルタの各一つの辺が接合して、折り畳むことが可能となっていれば、レンジフードに取り付けるときには組みフィルタを折り畳んだ状態で使用し、取り外して掃除をするときには組みフィルタを展開してそれぞれのフィルタを洗うことができる。また、洗った後に、組みフィルタを吊り下げて天日に干すなどすることでフィルタに残った水分を早く蒸発させることができるが、２枚のフィルタが展開した状態でつながっているため、吊り下げる場所は一枚分の幅があればよいという利点がある。
【００２１】
２枚のフィルタの接合部分には蝶番を用いることで折りたたみ式にするのが最も簡単であるが、一方のフィルタの一辺を円柱形状として、他方のフィルタの一辺を全長に渡って又は一部を、その断面が「Ｃ」の字のような形状として相対するフィルタの円柱軸を受けられる構造とすることによって、２枚のフィルタが着脱可能となり、掃除をするときなどには、より取り扱いが容易になるという利点がある。
【００２２】
また、フィルタの開口部が、３本以上の複数本の棒を一定間隔に並列して固定し、両端の２本の棒の一端がそれぞれフック状に反り返った形状で、両端の二本の棒のフック部分は互いに対角側に配置されたものであれば、２枚のフィルタを重ねて組みフィルタを構成するときに、フィルタは同一形状にすることが可能であり、２種類の形状のフィルタを用意する必要がないという利点がある。
【００２３】
また、フィルタを構成する部品の表面が撥油性を有したものであれば、フィルタの表面に付着した油汚れを簡易的に布や紙などで拭き取ることができ、掃除の手間を軽減する効果がある。
【００２４】
（実施の形態１）
本発明のレンジフードのフィルタについて、図１〜図３を用いて説明する。図１はフィルタ１の上面図である。フィルタ１は平板２に複数の細長い開口部３を並列に設けたものである。図２は、フィルタ１を２枚並べた上面図で、２枚のフィルタ１は、細長い開口部３が互いに直行するようにして重ね合わせる。図３は２枚のフィルタ１を重ね合わせた組みフィルタ４の上面図である。重ね合わせることにより、２枚のフィルタ１の細長い開口部３は図４のように正方形の開口部３が縦横に並ぶような配列となる。
【００２５】
レンジフードには組みフィルタ４の状態で取り付ける。組みフィルタ４をレンジフードから取り外したときは、２枚のフィルタ１に分離してそれぞれのフィルタ１を掃除することが可能である。組みフィルタ４に付着した油汚れを、組みフィルタ４の状態でタワシを用いて洗い落とす場合、タワシの動きによって組みフィルタ４の表面から剥がれ落ちた油汚れが、組みフィルタ４の開口部３の内側へ入り込むため、タワシでその油汚れを掻き落とそうとしても容易には落とすことができない。
【００２６】
そこで、組みフィルタ４を２枚のフィルタ１に分離すれば、それぞれのフィルタ１の開口部３は細長い形状のため、タワシを開口部３の長さ方向に沿って動かせば、開口部３の内側に入り込んだ油汚れは、小さな円形や方形状の開口部３のように油汚れを開口部３の内壁でせき止めるような作用をもたらさないため、油汚れは容易に開口部３の外部へと誘導され、洗い落とすことができる。
【００２７】
（実施の形態２）
図４は、円柱状の棒１２を一定間隔で平面上に並列させて構成されたフィルタ１１の図である。例えば５ｍｍ幅の一定間隔で並列させた、例えば太さ２ｍｍの棒１２を固定するために、棒１２と交差するように、棒１２の両端側に支持棒１３を配置し、すべての棒１２と接合させている。隣り合う棒１２の間が開口部１４となる。棒１２に付着した油汚れをタワシで洗い落とすときに、棒１２の形状が円柱状のため、開口部１４には油汚れが引っかかるような縁がなく、油汚れを洗い落とすことがさらに容易となる。
【００２８】
（実施の形態３）
図５は、２枚のフィルタ２１が、それぞれのフィルタ２１の一つの辺２２を軸に、二つの蝶番２３を用いて折り畳むことが可能となった組みフィルタ２４の図である。これにより、フィルタ２１が分離することがなく、レンジフードから取り外すときや、洗った後に干して乾かすときに、フィルタ２１が一体となった状態であるために、持ち運びなどの取り扱いが容易となる。
【００２９】
（実施の形態４）
図６は、組みフィルタ３４の斜視図であり、組みフィルタ３４を構成する一方のフィルタ３１の一つの辺に、円柱状の軸３２を設け、他方のフィルタ３１の一つの辺に、円柱状の軸３２を受けられるような形状の軸受け３３を設けたものである。
【００３０】
図７は、一つの辺に円柱状の軸３２を設けたフィルタ３１の上面図である。また、図８は、その側面図である。
【００３１】
図９は、一つの辺に軸受け３３を設けたフィルタ３１の上面図である。また、図１０は、その側面図である。
【００３２】
図６に示すとおり、軸受け３３は中空の円筒形状で、一部に切り欠きを設けている。この切り欠きは、円柱状の軸３２を設けたフィルタ３１を軸受け３３に、軸３２の長さ方向に沿って挿入するときに、フィルタ３１の板材が軸受け３３と干渉せずに通るために設けたもので、その切り欠きの幅は、フィルタ３１の厚みより充分に大きく、軸３２の直径よりも小さいものであればよい。
【００３３】
また、図６では、軸受け３３はフィルタ３１の一つの辺の全長に渡って長いものではなく、辺の両端に一つずつ合計二箇所に設けた形態を示している。これは、軸３２を軸受け３３に挿入して組みフィルタ３４の状態のときに、２つのフィルタ３１が、軸３２を基点にして折り畳んだり展開したりすることが可能となるように、回転の軌道上でフィルタ３１と軸受け３３が干渉しないようにしたものである。
【００３４】
（実施の形態５）
図１１は、線材４２を一定間隔に並列して成るフィルタ４１の斜視図である。並列した線材４２の中の両端の２本の線材４２は、その一端がフック状の反り返り部４３を設けた形状である。また、両端の２本の線材４２の反り返り部４３は、互いに対角側に配置されている。また、並列した線材４２を固定するために、すべての線材４２の両端側には、固定棒４４が接続している。
【００３５】
図１２は、組みフィルタ４５の斜視図である。線材４２を一定間隔に並列して成る２つのフィルタ４１を、線材４２が直行するようにして、それぞれの反り返り部４３に深部に、最端の線材４２の直線端部４６が挟まれるようにして収まることで、組みフィルタ４５を構成したものである。線材４２同士で挟まれた空隙が、開口部４７を成す。
【００３６】
この構造により、組みフィルタ４５は容易に２つのフィルタ４１に分離することが可能となる。また、平板２に細長い開口部３を並列させたフィルタ１の場合は、開口部３の縁が直角か、又はそれに近い形状になることが多い。したがってタワシで擦り洗いするときに、油汚れの洗い残しが生じやすい。円柱状の線材４２で構成されたフィルタ４１であれば、開口部４７に関して直角部分が存在しないため、油汚れの洗い残しが生じにくいという利点がある。
【００３７】
（実施の形態６）
図１３は、撥油剤５２を塗装したフィルタ５１の図である。表面に撥油剤を塗装することにより、フィルタ５１は撥油性となって表面エネルギーが低いため、油滴がフィルタ５１に付着してもその接触境界面は小さい。したがって、紙や布などでフィルタ５１の表面を拭くだけで、油汚れを除去できるという効果がある。撥油剤としては、例えばＰＴＦＥなどのフッ素化合物を含むコーティング剤が有効である。
【００３８】
（実施の形態７）
図１４は、レンジフード６４の側面図である。レンジフード６４は吸気口６２と組みフィルタ６１と送風手段６３を備え、吸気口６２から送風手段６３の方へ気流が向かい、その気流に含まれる油のミストや塵などの汚れが組みフィルタ６１で捕集される。捕集された油汚れは組みフィルタ６１に蓄積して開口部は次第に閉塞していき、それが抵抗となって風量の低下を引き起こす。そのため、組みフィルタ６１を定期的に洗うことによって蓄積した油汚れを除去する必要がある。本発明の、開口部が互いに直行する２枚のフィルタから成る組みフィルタ６１であれば、レンジフード６４から組みフィルタ６１を取り外した後に、２枚のフィルタに分解し、それぞれ個別に洗うことが可能となり、短時間で油汚れを除去することができる。
【産業上の利用可能性】
【００３９】
本発明にかかるフィルタは、付着した油汚れをタワシを用いて容易に除去することが求められるレンジフードなどの油煙除去装置のフィルタとして有用である。
【符号の説明】
【００４０】
１    フィルタ
２    平板
３    開口部
４    組みフィルタ
１１    フィルタ
１２    棒
１３    支持棒
１４    開口部
２１    フィルタ
２２    辺
２３    蝶番
２４    組みフィルタ
３１    フィルタ
３２    軸
３３    軸受け
３４    組みフィルタ
４１    フィルタ
４２    線材
４３    反り返り部
４４    固定棒
４５    組みフィルタ
４６    直線端部
４７    開口部
５１    フィルタ
５２    撥油剤
６１    組みフィルタ
６２    吸気口
６３    送風手段
６４    レンジフード
１０１    フィルタ
１０２    開口部
【図１】
2012088014.tif 000003
【図２】
2012088014.tif 000004
【図３】
2012088014.tif 000005
【図４】
2012088014.tif 000006
【図５】
2012088014.tif 000007
【図６】
2012088014.tif 000008
【図７】
2012088014.tif 000009
【図８】
2012088014.tif 000010
【図９】
2012088014.tif 000011
【図１０】
2012088014.tif 000012
【図１１】
2012088014.tif 000013
【図１２】
2012088014.tif 000014
【図１３】
2012088014.tif 000015
【図１４】
2012088014.tif 000016
【図１５】
2012088014.tif 000017